(57)【要約】【課題】人又は動物が摂取する流体用に使用可能なディスペンサ器具を提供する。【解決手段】本発明は、流体用ディスペンサ器具（１）に関するものであり、ディスペンサ器具上に設置され且つ出口開口部を有するバルブを備えており、バルブの出口開口部に接続されたチューブ（４Ｃ）を有し、チューブは少なくとも部分的に柔軟で、チューブは通常完全にキャップ（２）のケーシング内に伸び、使用する前にチューブは少なくとも部分的にキャップのケーシングの外側に移動可能である。これによってこうしたディスペンサ器具が得られ、それを用いて内容物の大部分は利用者に投与可能である。さらに、より審美的な外観が得られ、すなわち、利用者は対象となるディスペンサ器具とチューブで接続されるだけで済み、コップからストローで飲むような外観が得られる。【選択図】図７
2007515352.tif 000002
【特許請求の範囲】
【請求項１】
摂取用流体のためのディスペンサ器具であって、
容器上に設置され且つ出口開口部を有するバルブを備えた前記流体用の容器と、
前記流体を計量供給するための前記出口開口部に接続された柔軟なチューブとを含み、
第１状態では、少なくとも末端チューブ部分は、前記末端チューブ部分を密閉する密閉手段によってケースに入れられ、第２状態では、末端チューブ部分は少なくとも部分的に密閉手段の外側に移動可能である、
ディスペンサ器具。
【請求項２】
前記密閉手段は、前記ディスペンサ器具に配置された、且つ前記第１状態では隔絶されている、空洞を有すること特徴とする、請求項１に記載のディスペンサ器具。
【請求項３】
前記ディスペンサ器具には、人が摂取するのに適した流体が充填されることを特徴とする、請求項１又は２に記載のディスペンサ器具。
【請求項４】
標準状態では、前記チューブは屈曲チューブ部分を有し、前記屈曲チューブ部分は、前記末端チューブ部分を前記バルブに接続されたチューブ部分から隔て、前記末端チューブ部分は、前記屈曲チューブ部分の湾曲を変化させることで前記密閉手段の外側に移動可能であることを特徴とする、請求項１〜３のいずれか一項に記載のディスペンサ器具。
【請求項５】
前記屈曲チューブ部分は、前記末端チューブ部分を弾力によって前記密閉手段の外側に付勢するように構成されていることを特徴とする、請求項４に記載のディスペンサ器具。
【請求項６】
前記ディスペンサ器具は、前記第１状態で前記末端チューブ部分を受け入れる穴を設けたキャップを有すること特徴とする、請求項１〜５のいずれか一項に記載のディスペンサ器具。
【請求項７】
前記キャップは、前記第１状態で前記末端チューブ部分を密閉するための密閉要素が設けられていること特徴とする、請求項６に記載のディスペンサ器具。
【請求項８】
前記密閉手段の一部は、前記ディスペンサ器具から取り外すことが可能であることを特徴とする、請求項１〜７のいずれか一項に記載のディスペンサ器具。
【請求項９】
前記密閉手段はステッカーを含むことを特徴とする、請求項８に記載のディスペンサ器具。
【請求項１０】
前記密閉手段は前記キャップの一部を形成し、前記キャップを破り取ることが可能なことを特徴とする、請求項６に記載のディスペンサ器具。
【請求項１１】
前記密閉手段は、前記キャップに旋回可能に接続されることを特徴とする、請求項６に記載のディスペンサ器具。
【請求項１２】
前記バルブは、操作要素によって操作可能なバルブであり、前記操作要素は、前記第２状態では、外側からのみ到達可能であることを特徴とする、請求項１〜１１のいずれか一項に記載のディスペンサ器具。
【請求項１３】
前記チューブの前記末端部分用の前記穴は、前記操作要素に近接して伸びることを特徴とする、請求項６に従属する範囲での、請求項１２に記載のディスペンサ器具。
【請求項１４】
前記バルブに接続された前記チューブ部分は、前記第１状態及び前記第２状態の両方で、前記バルブの移動方向に対して横向きに伸びることを特徴とする、請求項１〜１３のいずれか一項に記載のディスペンサ器具。
【請求項１５】
前記第２状態では、前記末端チューブ部分は、前記バルブに接続された前記チューブ部分とほぼ同じ線上に伸びることを特徴とする、請求項１４に記載のディスペンサ器具。
【請求項１６】
前記第２状態では、前記末端チューブ部分は、前記バルブに接続された前記チューブ部分に対してほぼ横向きに伸びることを特徴とする、請求項１４に記載のディスペンサ器具。
【請求項１７】
前記ディスペンサ器具は閉鎖バルブが設けられ圧力がかけられた容器であり、前記操作要素は前記閉鎖バルブを操作するように構成されていることを特徴とする、請求項１〜１６のいずれか一項に記載のディスペンサ器具。
【請求項１８】
前記ディスペンサ器具はボトルであり、前記バルブは、前記操作要素によって操作可能なポンプ機構を有することを特徴とする、請求項１〜１６のいずれか一項に記載のディスペンサ器具。
【請求項１９】
前記容器には前記密閉手段に接続された表示手段が設けられ、前記表示手段は、前記ディスペンサ器具が前記第２状態にあることを少なくとも表示すること特徴とする、請求項１〜１８のいずれか一項に記載のディスペンサ器具。
【請求項２０】
前記容器は円形の断面を有し、前記バルブは前記容器上に偏心して配置されることを特徴とする、請求項１〜１９のいずれか一項に記載のディスペンサ器具。
【請求項２１】
摂取用流体のためのディスペンサ器具を製造する方法であって、
容器に摂取用流体を充填するステップと、
バルブを前記容器へ接続するステップと、
前記流体を計量供給するチューブを前記バルブへ接続するステップとを含む、方法において、
前記ディスペンサ器具の閉鎖空間内にチューブ先端を密閉することを特徴とする、方法。
【請求項２２】
使用前に前記閉鎖空間を開封することで、前記チューブ先端が前記閉鎖空間から外へ移動するように、前記チューブを偏向させて密閉することを特徴とする、請求項２１に記載の方法。
【請求項２３】
前記方法は、充填された容器にさらに過剰圧力をかけるステップをさらに含むことを特徴とする、請求項２１又は２２に記載の方法。
【請求項２４】
バルブを備えた開口部が配置された外側先端を設けた容器を有する、摂取用流体のための容器であって、
前記外側先端は周縁部を有し、前記開口部は前記外側先端上に偏心して配置されることを特徴とする、容器。
【発明の詳細な説明】
【技術分野】
【０００１】
本発明は、摂取用流体を計量供給するディスペンサ器具に関し、該ディスペンサ器具は、容器上に設置され且つ出口開口部を有するバルブを備えた流体用の容器と、出口開口部に接続されたチューブとを含む。
【背景技術】
【０００２】
このようなディスペンサ器具は一般に知られており、例えばエアゾール又は圧力容器の形態で、電気的接触流体又は浸透油といった工業用的用途で使用される流体を入れている。ここでチューブは、工業用流体を所望の位置に適用するのに使用される。その一例が、イギリス特許ＧＢ  ２  ０７９  １８３号明細書に記載されている。ここで、エアゾール上に配置され、エアゾールから出たガスを利用者の鼻又は口に誘導可能な、特別に成形されたキャップを用いて、酸素リッチガスを投与することは既に知られていることに留意されたい。
【発明の開示】
【発明が解決しようとする課題】
【０００３】
本発明の目的は、人又は動物が摂取する流体用に使用可能なディスペンサ器具を提供することである。これは、清涼飲料等の飲料だけでなく、例えば、酸素リッチガス等の気体も含むことを意味することが理解される。
【０００４】
このようなノズルが使用される場合、圧力容器を離れたガスの大部分が失われるので、本発明は、内容物の大部分が摂取可能で、失われるのは一部の非常に少ない部分であるようなディスペンサ器具を提供しようとするものである。
【課題を解決するための手段】
【０００５】
この目的は、チューブが少なくとも部分的に柔軟であることで達成される。本発明によると、少なくとも末端チューブ部分は、第１状態では、容器に接続されたこの末端チューブ部分用の密閉手段によってさらにケースに入れられる。第２状態では、末端チューブ部分は、少なくとも部分的に密閉手段の外側に移動可能である。チューブはこのように通常は完全にケースに入れられた状態で、例えばキャップのケーシング内に伸びており、使用前に、チューブが少なくとも部分的にキャップの周縁部の外側に移動可能である。末端チューブ部分は、バルブの接続部から離れた部分のチューブである。他の様々な部品は、計量供給チューブとバルブとの間に配置可能である。
【０００６】
これによって得られるのは、内容量の大部分が利用者に投与可能となるタイプのディスペンサ器具である。さらに、より審美的な外観が得られ、すなわち、利用者は対象のディスペンサ器具にチューブで接続されるだけで済み、コップからストローで飲む外観が得られる。さらに、一般に薬物療法的外観をもたらす、ガスを誘導するノズル使用は避けられる。
【０００７】
本発明によると衛生的なディスペンサ器具が得られる。ケースに入れる又は密閉することで、有害な菌は、チューブの末端、すなわち通常は使用中利用者の口腔内に保持されるチューブの先端には到達しない。この先端は清潔である。生産地から使用時までの輸送中、ディスペンサ器具は第１状態に置かれる。この自由端はこの間ずっと収納されている。
【０００８】
従ってチューブは、好ましくは、レモネードを飲むのに使用するような、ストローの外観を有する。
【０００９】
なお、摂取用流体のためのディスペンサ器具は、ＧＢ  ２  ０７９  １８３号明細書には記載されていないことに留意されたい。これに加えて、本発明に提案されるようなチューブ先端用の保護ケーシングについては、この文献において提示あるいは提案されていない。
【００１０】
本発明の好ましい実施形態において密閉手段は空洞を有するので、末端部はこの空洞の中に清潔な状態で収容され、チューブ部分は汚れる可能性がない。チューブは取り付けられて直ぐに密閉される。別の実施形態では、チューブの洗浄が行われ、チューブはその後空洞内に密閉される。
【００１１】
第１の好ましい実施形態によると、チューブは、標準状態で屈曲チューブ部分を有し、屈曲チューブ部分は、バルブに接続されたチューブ部分から末端チューブ部分を隔て、末端チューブ部分は、屈曲チューブ部分の湾曲を変化させることで、ケーシングの外側に移動可能である。
【００１２】
屈曲チューブ部分は、ストローで知られているように、全周に延在するリブを設けることで、柔軟にすることができる。しかし、なめらかなストローのような、他の構成を使用することも可能である。
【００１３】
チューブをストローとして使用できるようにするためには、チューブは、例えばキャップから、外向きに突き出さなければならないことは明らかである。勿論、標準状態でのチューブの突出は不都合であり、これは梱包且つ輸送に問題をもたらす。
【００１４】
これらの問題点は、この特定の好ましい実施形態によって回避される。
【００１５】
別の好ましい実施形態は、屈曲チューブ部分が、末端チューブ部分を、弾力によって、キャップの外側に付勢するように構成される手段を提供する。１つの実施形態では、偏向手段が配置される。偏向手段は、末端チューブ部分に接続され、ディスペンサ器具から外へ末端チューブ部分を動かすよう構成されている。
【００１６】
標準状態の間、すなわち輸送状態において、ディスペンサ器具がまだ開封されていない状況で、末端チューブ部分を保持あるいは密閉するために、ディスペンサ器具に、標準位置で末端チューブ部分を密閉するための密閉手段を備えた先端部分あるいはキャップを設けることが推奨される。
【００１７】
ここで、密閉手段、例えば取り外し可能なカバー又はステッカーの形をしたものの、少なくとも一部分を、キャップから取り外すことが可能であるが、密閉手段はキャップに旋回可能に接続されていることも可能である。
【００１８】
第１状態又は標準状態では、チューブは好ましくはキャップの完全に内側に伸びている。チューブ全体はこのように保護される。製造のためには、流体を計量供給するチューブは、先端部分／キャップの一体型構成部品であることが推奨される。
【００１９】
別の好ましい実施形態では、ディスペンサ器具は、ディスペンサ器具の状態を表示するために密閉手段に接続された表示手段を有する。表示手段はディスペンサ器具の状態を示す。表示手段は特に、ディスペンサ器具が第２状態にあるかどうかを表示する。表示手段は好ましくは目視可能である。好ましい実施形態では、シールが表示手段を形成する。これによって、利用者はディスペンサ器具が既に使用されているかどうかを見ることが可能となる。利用者は、これによって、チューブが汚れている可能性があること、すなわち最早清潔ではないことを知る。
【００２０】
ディスペンサ器具がエアゾール又は圧力容器で形成されている場合、バルブは、操作要素によって操作されることが可能なバルブであると好ましい。操作要素は、好ましくは、第２状態では外側からのみ到達可能である。密閉手段は、好ましくは、第１状態では操作要素をケースに入れる。
【００２１】
これにより、標準位置において密閉要素で操作要素を操作することが可能となるのを防止する。
【００２２】
上述の実施形態は、エアゾール、すなわち投与する流体を充填するだけでなく高圧ガスも含む加圧容器、のための第１の事例であるが、さらに容器をボトル又は缶で形成することも、バルブが操作要素によって操作可能なポンプ機構を有することも可能である。
【００２３】
既に上記で述べたように、本発明によるディスペンサ器具は、ビール、清涼飲料、又は酸素リッチガス等の人が摂取するのに適した流体を充填するのに特に適している。
【００２４】
本発明は、さらに、摂取用流体のためのディスペンサ器具の製造方法に関し、該方法は、容器に摂取用流体を充填するステップと、流体を計量供給するチューブをバルブへ接続するステップとを含む。本発明は、ディスペンサ器具の閉鎖空間内にチューブ先端を密閉することを特徴とする。これは、事前加工方法ステップの一部を形成できる。これによって使用の際の好ましい特性を有するディスペンサ器具が製造される。
【００２５】
該方法は、好ましくは、バルブを容器に接続して、充填された容器に過剰圧力をかけるステップを含む。
【００２６】
該バルブは、好ましくは、容器の事前加工されたカバー部分又はシール部分の一部である。充填された容器の開口側は、これによって完全に閉鎖される。チューブは、好ましくは、先端部分又はキャップの構成部品又は一体部品であり、該先端部分は、少なくとも輸送状態と使用状態とを有するように、形成される。カバー部分及び先端部分は、好ましくは、１つの部品として形成される。この部品は事前加工される。
【００２７】
該方法は、好ましくは、使用前に閉鎖空間を開封することで、チューブ先端が閉鎖空間から外へ移動するように、チューブを偏向させて密閉するステップを含む。使用の際に好ましい効果は、これによって達成される。
【００２８】
本発明は、さらに、出口開口部を備えたバルブを設けた流体用容器に関する。本発明は、外側先端が、周縁部、好ましくは円筒形状の周縁部を有し、バルブは外側先端上に偏心して配置されることを特徴とする。容器は中心軸を有する。バルブは中心軸から離れて配置される。これによってチューブの取り付け可能な容器が得られ、チューブは容器に偏心して配置される。これはしばしば好ましい。バルブは偏心して配置されるので、チューブ又は別の継ぎ手の長さは短くなる。これによって費用節約が達成される。この実施形態では、ディスペンサ手段は開口部を備えたこの左右非対称的容器と組み合わせることができ、別々に述べられることはない。
【００２９】
他の好ましい実施形態は、残りの従属項に述べる。
【００３０】
添付の図面を参照して、以下に本発明を明らかにする。
【発明を実施するための最良の形態】
【００３１】
図１は、設置されたエアゾール１及びキャップ２によって形成されるディスペンサ器具を示す。
【００３２】
エアゾール１は、バルブ３によって頭部を閉鎖された、それ自体は既知の金属缶によって形成されている。ここでは、キャップ２は、エアゾール１の上縁部周辺に、それ自体は既知の方法で、締め付けるように配置されている。図４に示すように、チューブ４はバルブ３に接続されている。
【００３３】
図４に示すように、チューブ４は屈曲している。従ってチューブ４は、バルブ３に接続された部分４ａと、部分４ａに接続された屈曲部分４ｂと、末端部分４ｃとを有する。
【００３４】
部分４ａ、４ｂ、４ｃを、標準状態に置かれた位置で、図４に示す。
【００３５】
図３に示すように、末端部分４ｃは、キャップ２の上部面６に配置された溝５の中に伸びている。操作要素７は、上部壁６に配置される。溝５は操作要素７の中にも伸びている。
【００３６】
操作要素７が押下されると、バルブ３が下向きに押されて、開放される。操作要素７にはこのために下向きに伸びる突起が設けられているが、図面では見えない。
【００３７】
標準状態、すなわち未開封状態では、シール要素８がキャップの上部壁６上に配置される。このシール要素は、キャップのように、プラスチックで製造されたカバーである。生産を容易にするために金型成形されてもよい。このような標準状態は図１に示す。標準状態とは、ディスペンサ器具が販売用に提供されるときの状態を意味するものと理解される。
【００３８】
消費者がこうしたディスペンサ器具を購入後に使用したい場合、シール要素８を剥がす、あるいはシール要素８がキャップに旋回可能に接続されている場合はそれを後ろへ折り返し、その後図１に示すような状態となる。末端チューブ先端４ｃは、キャップ２の上部壁６に対して垂直に伸びている。この状態で、チューブ４の末端は、例えば口に届くことが可能で、チューブを口の中へ入れてエアゾールの内容物を摂取することが可能である。内容物に到達するために、操作要素７は押下されなければならず、それによってエアゾールのバルブ３は開放される。
【００３９】
前文で既に述べたように、エアゾールは、例えば、活力回復効果のある酸素リッチガスを充填可能である。しかし代わりに、清涼飲料、又は、例えばカフェイン添加飲料等の興奮性飲料等の、飲料をディスペンサ器具に収容することも可能である。勿論アルコール飲料も使用可能である。
【００４０】
既に述べたように、エアゾール、すなわち飲料と高圧ガスとを組み合わせての使用が可能であり、このときバルブは通常、エアゾールを閉鎖して保つためにのみ機能し、押し込まれると開放される。
【００４１】
しかし、他のタイプのディスペンサ器具で、内容物が圧力をかけずに収容されており、例えばポンプ機能によって内容物をチューブへと付勢する必要がある場合に使用することも可能である。このとき、バルブの代わりに、押下されるとディスペンサ器具内に圧力を増加させ、この圧力が内容物を外へ追い立てるポンプ機構が用いられる。
【００４２】
この場合、高圧ガスは勿論必要ない。
【００４３】
ここに示した実施形態の変化形態を作成することは勿論可能である。例えば図５は、チューブの末端部分４ｃが、キャップの上部壁６の方向に、すなわちバルブの移動方向に対して横向きに伸びている実施形態を示す。このようにするために、キャップの側壁９に凹部１０が配置されている。数多くの他の変化形態が使用可能であることは明らかである。
【００４４】
ここで、別の場合には、ディスペンサ器具の末端部分４ｃの露出状態への自動的移動は、チューブの弾力、すなわち屈曲部分４ｂの弾力によって生じるということを指摘しておく。キャップ内に一体化してもよいばね等の他のタイプの機構を構築することも可能である。
【００４５】
図６に示す実施形態ではステッカー１１が密閉要素として使用されている。このステッカーは、キャップの上部面６に開封可能に接着される。
【００４６】
ステッカー１１が開封され剥離されると、図７に示す状態となる。キャップの上部面６には、湾曲凹部１２が設けられている。チューブはこれによって折り曲げられた状態でキャップに設置される。この実施形態では、操作要素の人間工学設計がさらに異なる。
【００４７】
図８ａは、ディスペンサ器具２０の第４の実施形態の斜視図を示す。ディスペンサ器具２０は、容器２１と、そこに配置されたキャップ２２とからなる。容器及びキャップの両方がほぼ円筒形の形状をしている。容器２１は摂取用流体を含み、該摂取用流体は開口部（図示せず）を介して計量供給可能である。開口部はキャップ２２に組み込まれている。キャップは開口部を完全に覆っている。容器の開口部はキャップ２２に組み込まれている。開口部はバルブにより閉鎖可能である。
【００４８】
キャップ２２は既知の方法で容器２１上に取り付けられる。結合には接着剤が使用可能であり、あるいは適切な締め付け又は嵌め込み手段を使うこともできる。
【００４９】
キャップ２２の自由上側面２３は、突き出た縁部２４を有する。縁部は周縁部であり、表面２６はシール２５で覆われている。シール２５はステッカーであることも可能である。図８ｂに示すように、シール２５はキャップ２２の上端部から剥離可能である。シール２５には、広告目的で使用可能な画像２７を設けることも可能である。シールを貼付することで、このシールによってキャップは密閉され、例えば広告画像を表示する余りの表面が得られる。シールは、図示した実施形態では円盤状で、さらに他の用途、例えば収集目的等にも使用可能である。
【００５０】
シール２５はキャップ２２に適切な方法で結合される。接着剤は使用可能だが、縁部２４は周縁にわたってわずかに内側へ突き出す可能性があるので、そのためシール２５は締め付けられる。シール２５には例えばつまみ２８が設けられ、このつまみはシールを剥がすのに利用者の手でつかむことができる。図示した実施形態のシールはキャップ２２から取り外し可能である。ステッカーは引き剥がす又は機械的に除去することが可能である。別の実施形態では旋回式の結合が可能である。
【００５１】
キャップ２２の上部面２６は、シール２５を剥がすことではっきり見える状態になる。この上部面には凹部２９が設けられる。凹部２９はシールを使用して密閉され、それによって空洞が形成される。キャップと共に、シールはチューブ先端３０用の密閉手段である。
【００５２】
空洞２９に収容されるのはチューブ３０で、図８ａに示す密閉状態では、外界から完全に密封される。図８ａに示す状態は輸送状態又は第１状態を示すと考えられ、このときチューブ３０は衛生的に収納されている。図８ｂは移行状態を示し、一方図８ｃはディスペンサ器具２０の使用状態又は第２状態を示す。
【００５３】
チューブ３０は、矢印３１に従って移動して使用状態に位置する。移動３１は、シール２５の下でのチューブの偏向によって実行されるか、あるいは利用者自身によってなされることが可能である。
【００５４】
チューブ３０には、リブを付けられた部分３２が設けられ、それによってチューブ３０を損傷することなく折り曲げることが可能である。
【００５５】
１つの実施形態では、シールは再設置可能である。器具の使用はこれによって停止可能で、シールは輸送状態に再設置される。
【００５６】
好ましい実施形態では表示手段があり、該表示手段は、第１状態又は輸送状態から使用状態へのシールの剥離を示す。これによって利用者は、ディスペンサ器具２０が既に使用状態にあるかどうかを見ることが可能である。これらの表示手段は例えばシールによって形成可能である。当業者は異なるオプションに精通しているであろう。
【００５７】
押しボタン３３は凹部２９に形成される。利用者は押しボタン３３を指で操作可能である。押しボタンはキャップ２２内で移動可能である。押しボタン３３を押すと、容器２１からチューブ３０を介して流体が放たれる。チューブ３０は容器２１の開口部に接続されている。これは図９に図示されている。
【００５８】
キャップ２２は射出成形によって形成可能である。キャップは本発明によるディスペンサ器具の操作機構のハウジングである。キャップはチューブ３０用のハウジングである共に、キャップはシール２５用のハウジングでもある。
【００５９】
図９ａは図８ｂの線ＩＸに沿った断面図を示す。容器２１には、先が細くなった同心の先端部分３４が設けられ、この先端部分には突き出したチューブ部分の形態をとった開口部３５が設けられている。
【００６０】
容器２１は１つ又は２つの部分を有することが可能である。ここに示す形状は円筒形だが、形状は卵形、長円形、又は角状でもよい。２つ部分の実施形態では、一方の外側先端は、それを覆うようにキャップ２２が配置された先端で、開口部３５が配置された先端部分が設けられている。この先端部分は、本発明による様々な方法で実施可能である。
【００６１】
流体は容器２１内に配置される。１つの実施形態では、さらに圧力媒体も容器の内容物に添加される。これは充填ニップル等を介して流体を配置した後行うことが可能である。充填ニップルは、上側又は下側に配置可能である。
【００６２】
別の方法によると、容器はカバーを付けて製造され、カバーが容器に取り付けられる前に、ガスが容器に添加される。これは「アンダーザカップ（ｕｎｄｅｒ  ｔｈｅ  ｃｕｐ）」生産として知られている。これによって、窒素（Ｎ２）等の高圧ガスを伴う容器が、有利な方法で提供されることが可能である。
【００６３】
容器２１に過剰圧力が存在する場合、流体は、開口部３５の運動、例えば開口部３５を傾ける等の動作を伴って開口部３５を介して外部へ流出可能である。図９ａ及び図９ｂに示す実施形態では、チューブ３０は開口部３５に直接接続されている。図９ａは中間状態を示し、一方図９ｂは使用状態又は第２状態を示す。
【００６４】
図９ａ及び図９ｂの断面図では、さらに、どのようにキャップ２２が容器２１の周縁部３６を覆うように配置されているかがわかる。キャップ２２は、容器２１の周りに配置された部品上に締め付け手段を有し、該手段は縦方向縁部３６の周りを締め付けるように配置可能である。接続はフック式接続である。
【００６５】
操作ボタン又は押しボタン３３は、矢印３７に従って移動可能であり、それに伴う効果として、押しボタン３３に接続された突起３８が開口部３５を傾ける。開口部３５を傾けた結果、既知の方法で、バルブは開放され、それによって流体は、勢いのある過剰圧力を用いて、容器からチューブ３０を通って外へ流出する。使用状態では、ディスペンサ器具は好ましくは頭部にキャップを付けて直立に保持される。チューブ３ｄに接続されているのはチューブ３９であり、該チューブは点線で示され、容器２１の内部へ突き出しており、好ましくは容器２１の底付近の開口部へ出る。
【００６６】
図９ｃは同様の実施形態を示しており、ここではチューブ３０はステム４０を用いて容器２１の開口部３５に接続されている。ステムの使用を通じて、チューブ部分３５とチューブ３０との間には良好な接続が生成可能である。
【００６７】
ステム４０は特別な方法で実施可能である。チューブ３０のステム４０への接続は常設的なものとすることが可能であるが、ここに示すように、別の実施形態では、作動装置すなわち操作要素３３が、矢印３７に従って押下された後にのみ、接続が形成される。チューブとステムとの間の接続は、矢印３７で示す傾き機構に従った移動の後、有効となる。末端チューブ先端とバルブとの間の接続は、多数の異なる方法で可能である。当業者は、先行技術に基づいて特に効率良い方法を選択することができるであろう。
【００６８】
キャップ２２と容器２１との間の接続は、液密性及び／又は気密性のシールである。キャップは容器の上に固定される。これは、ひだ折り畳み方式によって行うことが可能である。
【００６９】
容器２１は多様な流体を充填可能である。他の用途では発泡製品及びガスになる。さらに別の実施形態では、薬品も容器に収容可能である。
【００７０】
図示しない実施形態によると、容器２１内に過剰圧力を作用させる代わりに、押しボタン３３を使用して操作可能なポンプ機構も使用できる。押しボタンによる操作は、汲み出し作用をもたらし、それによって流体は容器２１の外へ引き出され、チューブ３０を通って運ばれる。当業者はポンプ機構の実施について精通しているであろう。
【００７１】
押しボタン３３及び突起３８は、本発明によるディスペンサ器具の操作機構の一部を形成する。当業者は、この操作機構を様々な方法で実施可能とすることに精通しているであろう。どのような場合も、操作機構は、流体の計量供給を作動させる手段を有する。操作機構によって、ポンプ及び容器は両方とも、圧力下で操作可能である。
【００７２】
図示した実施形態の多くの変化形態を本発明から逸脱することなくなしうることは明らかであろう。
【００７３】
図１０は、本発明によるディスペンサ器具４０の第６の実施形態の斜視図を示し、ここでは、容器４１に、チューブ４４が収容される環状凹部４３を備えた先端部分４２が設けられている。図１０ａは、通常凹部を閉鎖するシール及びチューブ４４が既に取り除かれており、ディスペンサ器具が図１０ｂに示すような使用状態に至る前の、中間状態を示す。チューブはこのとき凹部４３の中心から離して配置されている。中心には、バルブ４６と直接接触する状態にすることが可能な押しボタン４５が形成されており、概略的に点線で図示されている。押しボタン４５を押下する結果、バルブは開放され、それによって容器４１に収容された流体はバルブ４６を介してチューブ４４を通って運び出される。多様なシールが使用可能である。シールは、キャップ４２の周縁部４７内に形成された空間に収容可能である。キャップ４２は、バルブ４６が覆うように配置された開口部を備えた容器の先端上に設置される。
【００７４】
図１１ａ〜図１１ｄは、本発明によるディスペンサ器具の先端部分上のシールの４つの実施形態を示す。
【００７５】
図１１ａは、先端要素５１上に配置されたシール５０を示す。シール５０はつまみ５２を備えている。利用者はつまみ５２をつかむことができ、これを利用してシール５０を引っ張って開封する。このとき結合が破られる。
【００７６】
図１１ｂは、つまみ５４を備えたシール５３を示す。シール５３は２本の切り取り線５５を備えている。利用者はつまみ５４を使用して切り取り線の間の部分を取り除くことができる。こうした実施形態は、ディスペンサ器具が既に開封されているかどうかを表示する手段の一例である。
【００７７】
図１１ｃは、シール５６に記号５７を備えた器具を示す。この記号は広告メッセージとすることが可能である。模式化した広告メッセージを図１１ｃに示す。
【００７８】
図１１ｄは、ディスペンサ器具６１の外側先端６０をぐるりと回って縁部５９と共に配置されたシール５８を示す。つまみ６２は、縦方向の縁部５９から突き出している。縦方向縁部５９は外側先端６０の周りに配置されている。縦方向縁部は、外側先端をぐるりと回ってひだ状に折り畳まれている。
【００７９】
図１２は、本発明によるディスペンサ器具７０を示す。これは、下部の円筒形部分を形成する容器と、上部分７２とからなる。上部分７２は容器の上に設置され、これにはバルブが設けられている。上部分もしくはキャップ７２は、シールもしくは表示手段７３を備えており、これによって末端チューブ先端は輸送状態用に閉鎖空間に収容され、シール７３は剥がしてディスペンサ器具７０を使用状態にすることが可能である。２つ部分からなるディスペンサ器具７０は、スリーブ７４を用いて密閉され、これは部分的に破断された状態で図示している。スリーブは、どのような場合でも、容器部分７１と上部分７２との間の破線で表示された境界線７５の周りで、パッケージ全体を覆う。この境界線はスリーブ７４を用いて密閉され、器具の利用者は２つの部分を見ることができない。製造後の状態では、ディスペンサ器具７０は、１つの部分で製造された外観を有する。操作はその他の点では前述の実施形態のものと同様である。
【００８０】
図１３ａは、流体が充填された容器を覆うのに使用可能なカバー部分８０を示す。この実施形態によると、容器は再び円筒形である。カバー部分８０は容器の上に配置される。バルブ８１は既知の方法でカバー部分内に配置され、該バルブはチューブ８２が設けられ、これを介して流体が計量供給可能である。矢印８３、８４の１つに従ってバルブを動かして、それぞれに傾けてあるいは押して、バルブは開放され、それによって流体はチューブ８２を介して流出可能となる。カバー部分８０は、さらに充填ニップル８５を備えており、これを介して、圧力ガスを閉鎖された容器内に配置することができる。摂取用流体を充填した容器の開口端上にカバーを設置した後、容器の内容物は密閉される。充填ニップル８５を介して、別の圧力媒体、例えば窒素ガスを、例えば注射器を介して、容器に添加することも可能である。これによって過剰圧力が容器内に生成される。過剰圧力により、容器内に配置され且つチューブ部分８６を介してバルブ８１と連通している流体を、チューブ部分８２から流出させることが可能となる。
【００８１】
図１３ｂは、特定の利点を有する別の実施形態を示す。この別の実施形態によるカバー部分９０は、あらゆる任意の形態の容器に設置可能で、図示した実施形態では容器はどのような場合でも円形の開口端を備えている。バルブ９１は、図１３ａに従って第１の実施形態のバルブと同様の方法で形成されるが、中心から外れて設置される。偏心的に配置されたバルブ９１は、チューブ部分９２を備えている。図９の断面図に示すようにキャップが配置された、組み立てた状態では、偏心的に配置されたバルブ９１及びチューブ部分９２では、図９ａ〜図９ｃと比較するとより小さく近接したチューブ先端によって又はそれを用いずに、密閉空間への接続が実現可能なので、特定の利点が実現される。図９ａ〜図９ｃに従って末端先端部分に接続されたチューブ部分がチューブ９２に取り付けられた場合、図８ａ〜図８ｃの実施形態に従ったように末端部分が偏心部分から内部へ突き出ている場合、このチューブ部分の材料が節約される。これによってさらなるコスト節減が実現される。カバー部分９０には充填ニップル９３が設けられており、容器内に配置されたチューブ部分９４も備えている。
【００８２】
図１４は、本発明によるディスペンサ器具を製造する方法を、先行技術と比較して、フローチャートに基づいて示している。１００は容器が製造されるステップを示す。これは基本材料１０１から容器を形成する、例えば第１の実施形態に示すように容器の円筒形形状を圧延することによって可能である。多様な材料が使用可能である。異なる加工技術が使用可能である。壁厚は、過剰圧力状態に対して十分であるように選ばれる。当業者は、正確な寸法を計算して適用することに精通しているであろう。ひだを付ける等の多様な製造技術が使用可能である。さらに、容器は基本材料からの引き抜き加工が可能である。リブ及び／又は溝といった装飾を施すことも可能である。
【００８３】
一度容器が形成されると、ステップ１０２で、人又は動物の摂取用製品又は流体１０３が容器の中に配置される。摂取用流体を含む多様な製品が使用可能であり、さらに発泡製品、薬品、ガスも含む。
【００８４】
容器の製造及び容器の充填は両方とも方法が知られており、先行技術に既知の通り実施可能であり、ここではこれ以上述べない。
【００８５】
先行技術はステップ１０４及びステップ１０５でも続き、ここでは、先端部が容器上に閉鎖のためにそれぞれ設置され、この先端部は固定して取り付けられる。
【００８６】
本発明によると、バルブを備えた部分１０６が容器上に設置される。この部分は、例えば容器内へこの容器の底まで突き出すチューブを有する。この容器のカバー部分は、例えば圧力バルブ又は傾斜バルブを備えており、これが操作されると、容器内に設置されたチューブと外部との間の接続を開通する。
【００８７】
多様な先端部分又は容器のカバー部品が適用可能であり、バルブ手段が設けられている限り、操作されると、容器の内容物への接続を開通させる。カバー部分は単一のバルブを設けることが可能で、この結果、容器内の過剰圧力と相互作用して、流体が外へ運ばれ、あるいは操作可能なポンプによって実施可能である。
【００８８】
ステップ１０７では、カバー部分は半製品として提供される。カバー部分には有利な方法で、後に接続を形成するためのステムを設けることが可能である。
【００８９】
ステップ１０８では、部分１０７が、例えば真空クリンパあるいは他の技術１０９を用いて、容器上に固定される。この技術は先行技術に類似している。
【００９０】
ステップ１１０では、本発明の１つの実施形態に従って高圧ガスが供給される。図１４に従って示す方法では、高圧ガスは、充填ポイントを介して、例えば容器の内部に収容可能な針を用いて、添加される。別の技術によると、先端部分はステップ１０６及びステップ１０８で、いわゆる「アンダーザカップ」充填によって取り付けられ、ここで高圧ガスは高圧下で開口した容器に供給され、非常に素速く閉鎖される。高圧ガス手段は、高圧ガス供給１１１を介して供給される。
【００９１】
ステップ１１２では、ステップ１１３で製造されるキャップが、製造された容器の上に設置される。多様な接続技術が使用可能である。キャップのチューブは、ステップ１１３で一体型に製造されるが、バルブあるいはステムに接続可能である。その後キャップは容器に接続可能である。
【００９２】
本発明によると、ディスペンサ器具は、まず容器を製造して、容器を閉鎖することで提供される。キャップ部分又は先端部分は、閉鎖された容器上に配置され、ここでこの先端部分は少なくとも容器の出口に接続され、さらにこの先端部分は、第１状態では密閉され、第２状態では見えるようにされることが可能な、末端チューブ先端を提供する。本発明によると、この製造方法で利点が実現され、ここで本発明によるディスペンサ器具は、数々の事前加工された部品を組み合わせて製造される。異なる部品は、費用効率の良い方法で互いに別々に製造され、組み合わせることが可能である。それぞれの部品の分離は費用効率の良い方法で行うことが可能なので、本発明による組み合わせは特に有利である。４つの異なる構成部品の製造は異なる材料を使用して行うことが可能で、このとき最も費用効率の良い製造方法を各構成部品に適用することが可能である。
【００９３】
ステップ１１３で製造されたキャップは、例えば図１０に示す実施形態のいずれかに従うように、シール形式で密封が施される。
【００９４】
好ましい実施形態によると、キャップはステップ１１３で、射出成形によって、好ましくは１つの部分で、形成される。
【００９５】
図１５は、５つのステップでのディスペンサ器具１２０の製造を示す。容器部分１２１は既知の方法で製造される。容器は、概略的に１２２で図示された流体を充填可能である。流体は、矢印１１９に従って、容器に入れられる。容器の開口端１２３上には、カバー部分１２４、例えば図１３の実施形態のいずれかに従ったカバー部分が配置される。カバー部分１２４は、開口部１２６を備えたバルブを備えている。容器１２１内に配置された流体は、チューブ１２７を介してバルブ１２５へ運ばれる。カバー部分１２４はステップ（ｂ）で容器１２１上に取り付けられる。流体は容器内に配置される。カバー部分１２４を容器１２１上に取り付ける間、圧力媒体を容器内に収容可能である。また圧力媒体は充填ニップルを介しても添加可能である。別の実施形態では、バルブは、バルブだけでなく、ポンプ装置でもある。カバー部分１２４は、先行技術に従って既知の方法で、容器１２１に密閉して接続される。固定方法はどのような場合も、容器に過剰圧力がかけられている間の容器の密閉閉鎖に適している。このようにするために多様な密閉技術が利用可能である。
【００９６】
先端部分１２８は半製品として提供され、（ａ）に図示した状態で、凹部１３０から突き出す末端チューブ部分１２９を備えている。
【００９７】
ステップ（ｃ）では、先端部分１２８がカバー部分１２４と共に容器上に設置され、さらにスリーブ１３１でスリーブを付けられ、それによって既知の方法でディスペンサ器具１２０が得られるが、このときディスペンサ器具が２つの部分１２１、１２８からなることは、外部からは見えない。
【００９８】
ステップ（ｄ）では、末端外側部分１２９が凹部１３０内に設置され、シール１３２が先端部分１２８の外側先端上に配置される。これによって本発明によるディスペンサ器具の第１状態は、図１５の（ｅ）で達成される。シール１３２は取り外し可能で、それによって末端チューブ先端１２９は解放され、使用状態になる。
【図面の簡単な説明】
【００９９】
【図１】本発明の第１の実施形態によるディスペンサ器具の斜視図を示す。
【図２】密閉要素が取り外されチューブが上向きに曲げられている、図１に対応した図を示す。
【図３】図１及び図２の実施形態のキャップの斜視図を示す。
【図４】キャップを取り外されているがチューブは接続されている、図１及び図２の実施形態の斜視図を示す。
【図５】本発明の第２の実施形態の斜視図を示す。
【図６】標準状態における第３の実施形態の斜視図を示す。
【図７】開封状態において図６に対応した図を示す。
【図８】第４の実施形態の斜視図を示す。
【図９】図８による第４の実施形態の線ＩＸに沿った断面図を示す。
【図１０】第６の実施形態の斜視図を示す。
【図１１】本発明において使用するシールの実施形態を示す。
【図１２】パッケージ器具の別の実施形態の斜視図を示す。
【図１３ａ】容器カバーの２つの実施形態を示す。
【図１３ｂ】容器カバーの２つの実施形態を示す。
【図１４】本発明による方法のフローチャートを示す。
【図１５】本発明によるディスペンサ器具の製造加工を示す。
【図１】
2007515352.tif 000003
【図２】
2007515352.tif 000004
【図３】
2007515352.tif 000005
【図４】
2007515352.tif 000006
【図５】
2007515352.tif 000007
【図６】
2007515352.tif 000008
【図７】
2007515352.tif 000009
【図８】
2007515352.tif 000010
【図９】
2007515352.tif 000011
【図１０】
2007515352.tif 000012
【図１１】
2007515352.tif 000013
【図１２】
2007515352.tif 000014
【図１３ａ】
2007515352.tif 000015
【図１３ｂ】
2007515352.tif 000016
【図１４】
2007515352.tif 000017
【図１５】
2007515352.tif 000018
【手続補正書】
【提出日】平成18年11月20日(2006.11.20)
【手続補正１】
【補正対象書類名】図面
【補正対象項目名】図１４
【補正方法】変更
【補正の内容】
【図１４】
2007515352.tif 000019
【手続補正書】
【提出日】平成19年2月6日(2007.2.6)
【手続補正１】
【補正対象書類名】図面
【補正対象項目名】図８
【補正方法】変更
【補正の内容】
【図８】
2007515352.tif 000020
2007515352.tif 000021
2007515352.tif 000022
【手続補正２】
【補正対象書類名】図面
【補正対象項目名】図９
【補正方法】変更
【補正の内容】
【図９】
2007515352.tif 000023
2007515352.tif 000024
2007515352.tif 000025
【手続補正３】
【補正対象書類名】図面
【補正対象項目名】図１０
【補正方法】変更
【補正の内容】
【図１０】
2007515352.tif 000026
2007515352.tif 000027
【手続補正４】
【補正対象書類名】図面
【補正対象項目名】図１１
【補正方法】変更
【補正の内容】
【図１１】
2007515352.tif 000028
2007515352.tif 000029
2007515352.tif 000030
2007515352.tif 000031
【国際調査報告】
2007515352.tif 000032
2007515352.tif 000033